(57)【要約】      （修正有）【課題】薄型で高性能な逆Ｆ型アンテナ装置を提供。【解決手段】導電性の板状素子１０１と、板状素子１０１の給電部１０２と、板状素子１０１の短絡部１０５と、板状素子１０１に略並行に配置された接地面１０６と、板状素子１０１に略垂直に配置され、板状素子１０１と給電部１０２とを電気的に接続する給電線１０３と、板状素子１０１に略垂直に配置され、板状素子１０１と短絡部１０４とを電気的に接続する短絡線１０５と、を有し、給電線１０３と短絡線１０５とが所定の距離をおいて配置され、給電線１０３または短絡線１０５は、接地面１０６と板状素子１０１との間で最短で接続せずに板状素子１０１と略垂直な面で迂回するよう配置するよう構成する。【選択図】図１
2009188890.tif 000002
【特許請求の範囲】
【請求項１】
導電性の板状素子と、
前記板状素子の給電部と、
前記板状素子の短絡部と、
前記板状素子に略並行に配置された接地面と、
前記板状素子に略垂直に配置され、前記板状素子と前記給電部とを電気的に接続する給電線と、
前記板状素子に略垂直に配置され、前記板状素子と前記短絡部とを電気的に接続する短絡線と、を有し、
前記給電線と前記短絡線とが所定の距離をおいて配置され、
前記給電線または前記短絡線は、前記接地面と前記板状素子との間で最短で接続せずに前記板状素子と略垂直な面で迂回するよう配置されている、
アンテナ装置。
【請求項２】
前記給電線と前記短絡線との両方が、前記接地面と前記板状素子との間で最短で接続せずに前記板状素子と略垂直な面で迂回するように配置されている、
請求項１記載のアンテナ装置。
【請求項３】
請求項１または請求項２のいずれか１項のアンテナ装置を備えた携帯無線機。
【発明の詳細な説明】
【技術分野】
【０００１】
本発明は、高いアンテナ性能を有する板状アンテナに関するものである。
【背景技術】
【０００２】
近年、携帯電話機が広く普及しており、薄型化、小型化、デザインの多様性と向上のためアンテナの内蔵化と低背化が進んでいる。また、アンテナの突起部が携帯無線機としての外観を損ねることになり、近年ではアンテナ内蔵化が進んでいる。
【０００３】
ここで、アンテナ内蔵型の携帯電話において、良好なアンテナ性能を得る手段として逆Fアンテナなどがある（例えば、特許文献１、２）。
【特許文献１】特開平４−１５７９０８号公報
【特許文献２】特開２００３−９２５１０号公報
【発明の開示】
【発明が解決しようとする課題】
【０００４】
しかしながら、逆Fアンテナを構成する場合、その特性を確保するには、板状のアンテナ素子と基板との高さを取る必要があり、十分な高さが取れない場合にはその板状のアンテナ素子の面積を広くする必要があった。そのため、携帯無線機の小型化、薄型化の妨げとなっていた。
【０００５】
本発明は、従来の問題を解決するためになされたもので、低背化した逆Fアンテナで、大きなスペースを必要とせず、広帯域を確保し、高いアンテナ性能を発揮する小型化に好適なアンテナ装置及びそのアンテナ装置を備えた小型・薄型の携帯無線機を提供する事を目的とする。
【課題を解決するための手段】
【０００６】
上記課題を解決するために、本発明のアンテナ装置は、本発明の携帯無線機は、導電性の板状素子と、前記板状素子の給電部と、前記板状素子の短絡部と、前記板状素子に略並行に配置された接地面と、前記板状素子に略垂直に配置され、前記板状素子と前記給電部とを電気的に接続する給電線と、前記板状素子に略垂直に配置され、前記板状素子と前記給電部とを電気的に接続する短絡線と、を有し、前記給電線と前記短絡線とが所定の距離をおいて配置され、前記給電線または前記短絡線は、前記接地面と前記板状素子との間で最短で接続せずに前記板状素子と略垂直な面で迂回するよう配置されているように構成している。
【０００７】
上記構成により、迂回する線路長により、共振周波数を容易に合わせること事を可能とし、迂回する線路によりアンテナの薄型化を図る事が可能となる。
【０００８】
上記構成をとらず、迂回部をアンテナ天面と直接接続した場合、短絡点とアンテナ天面を最短で繋いだ経路のよる共振のみが発生する。この際、アンテナ共振が本発明より高くなり、低い帯域を得るためには大型化が必要となる。また、短絡線長を基本周波数としているため、共振幅は本発明に対し狭くなる。このため本発明は、広帯域をカバーする必要があるアンテナに有用である。
【発明の効果】
【０００９】
本発明によれば、薄型で高性能なアンテナ装置を提供でき、さらに、薄型で高性能な携帯無線機を提供する事ができる。
【発明を実施するための最良の形態】
【００１０】
以下、本発明の実施形態について、図面を参照しながら詳細に説明する。図１は、本発明の実施形態に係るアンテナ装置１００を示すものである。図２は、本発明のアンテナ装置１００を搭載した携帯無線機２００を示すものである。
【００１１】
アンテナ装置１００は、板金上の板状素子１０１、板状素子１０１へ電流を供給する給電部１０２、板状素子１０１と給電部１０２とを電気的に接続するための給電線１０３、板状素子１０１のグランドとなる短絡部１０４、板状素子１０１と短絡部１０４とを電気的に接続するための短絡線１０５、給電部１０２と短絡部１０４とを備える回路基板である地板１０６、から構成される。
【００１２】
アンテナ装置１００を携帯無線機２００に搭載する場合、図２に示すように携帯無線機２００の外観を構成する筐体２０１の内部に納まるようにアンテナ装置１００を搭載している。
【００１３】
板状素子１０１は、地板１０６に略平行に設置されている。平行に設置されていることで、逆Ｆアンテナの地板として動作する。
【００１４】
本発明のアンテナ装置１００の短絡線１０５は、板状素子１０１と地板１０６との間で略直線的にならないよう迂回させている（短絡線迂回路１０５ａ）。短絡線１０５に短絡線迂回路１０５ａを設けることで、板状素子１０１と短絡線迂回路１０５ａとの間で容量結合させることができるので、短絡線以外のアンテナ共振経路が発生し、共振帯域が拡大する。さらに、短絡線迂回路の長さを調整すれば、容易に所望の共振周波数でアンテナ装置１００を動作させることが可能となる。したがって、アンテナ固有の共振周波数帯域を広帯域化させることが出来る。
【００１５】
ここで、板状素子１０１と短絡線迂回路１０５ａとの間で容量結合しない場合、つまり、板状素子１０１と短絡線迂回路１０５ａとの間に隙間がない場合、上記効果を得ることができない。これは、アンテナ共振が短絡線からアンテナ天面までを最短でとおる経路のみで励振する共振となるためである。
【００１６】
以上より、短絡線迂回路１０５ａを設けることで板状素子１０１と地板１０６との間の距離を縮めることができるためアンテナ装置１００を低背化しつつ、短絡線迂回路１０５ａによりアンテナ固有の共振周波数帯域を広帯域化させることが可能となる。さらに、板状素子１０１の天面の面積を広く使うことが可能であるため、アンテナ放射体積の減少による放射効率の低下を抑えることが出来る。
【００１７】
なお、本発明のアンテナ装置１００では、短絡線１０５に短絡線迂回路１０５ａを設けたが、給電線１０３に迂回路を設ける構成にしても同様の効果が得られる。さらに、給電線１０３と短絡線１０５との両方に迂回路を設けてもよい。
【産業上の利用可能性】
【００１８】
本発明のアンテナ装置は、例えば、携帯電話、ＰＨＳ、ゲーム機、電子辞書、ノートパソコン、ＰＤＡ、等への転用が考えられる。
【図面の簡単な説明】
【００１９】
【図１】本発明のアンテナ装置の外観図
【図２】本発明のアンテナ装置を搭載した携帯無線機の外観図
【符号の説明】
【００２０】
１００    アンテナ装置
１０１    板状素子
１０２    給電部
１０３    給電線
１０４    短絡部
１０５    短絡線
１０６    地板
２００    携帯無線機
２０１    筐体
【図１】
2009188890.tif 000003
【図２】
2009188890.tif 000004